(57)【要約】【課題】アンテナとＩＣチップとの接続信頼性を簡易かつ迅速に確認することができるアンテナシート、ＩＣインレット及び情報記録媒体を提供すること。【解決手段】シート６上に設けられたアンテナ７を備え、前記アンテナ７にＩＣチップ１４が接続されて非接触で通信を行うアンテナシート４であって、前記アンテナ７のうち前記ＩＣチップ１４との接続部分に、前記アンテナ７の厚さ方向に貫通するアンテナ用孔２０が設けられていることを特徴とする。【選択図】図２
2008059348.tif 000002
【特許請求の範囲】
【請求項１】
シート上に設けられたアンテナを備え、前記アンテナにＩＣチップが接続されて非接触で通信を行うアンテナシートであって、
前記アンテナのうち前記ＩＣチップとの接続部分に、前記アンテナの厚さ方向に貫通するアンテナ用孔が設けられていることを特徴とするアンテナシート。
【請求項２】
前記シートのうち前記アンテナ用孔に一致する位置に、前記シートの厚さ方向に貫通するシート用孔が設けられていることを特徴とする請求項１に記載のアンテナシート。
【請求項３】
請求項１又は請求項２に記載のアンテナシートと、
前記ＩＣチップとを備えることを特徴とするＩＣインレット。
【請求項４】
請求項３に記載のＩＣインレットを備えることを特徴とする情報記録媒体。
【発明の詳細な説明】
【技術分野】
【０００１】
本発明は、非接触で通信を行うアンテナシート、ＩＣインレット及び情報記録媒体に関する。
【背景技術】
【０００２】
従来より、通信分野などにおいて、非接触で通信を行う種々のアンテナシートが利用されている（例えば、特許文献１及び２参照。）。
これらアンテナシートは、フィルム状のシートと、このシートにパターニングされたアンテナとを備えるものが一般的である。そして、そのアンテナが、半田によりＩＣチップに接続されるようになっている。すなわち、ＩＣチップに接続された接続電極に半田が設けられ、この半田を介して接続電極にアンテナの接続面が重ね合わされて、半田の溶融、凝固によって、それらアンテナとＩＣチップとが接続される。
【特許文献１】特開２００４−１３７３３号公報
【特許文献２】特開２０００−２１５２９１号公報
【発明の開示】
【発明が解決しようとする課題】
【０００３】
しかしながら、上記のようなアンテナシートでは、接続電極にアンテナの接続面を重ね合わせると、アンテナの接続面によって半田が隠されてしまうため、半田の状態を外方から視認することができず、アンテナとＩＣチップとの接続状態を把握することができなくなってしまうという問題がある。
【０００４】
本発明は、このような事情に鑑みてなされたものであって、アンテナとＩＣチップとの接続信頼性を簡易かつ迅速に確認することができるアンテナシート、ＩＣインレット及び情報記録媒体を提供することを目的とする。
【課題を解決するための手段】
【０００５】
上記課題を解決するために、本発明は以下の手段を提供する。
本発明に係るアンテナシートは、シート上に設けられたアンテナを備え、前記アンテナにＩＣチップが接続されて非接触で通信を行うアンテナシートであって、前記アンテナのうち前記ＩＣチップとの接続部分に、前記アンテナの厚さ方向に貫通するアンテナ用孔が設けられていることを特徴とする。
【０００６】
この発明に係るアンテナシートによれば、アンテナ用孔を介して半田の状態を外方から視認することができることから、アンテナとＩＣチップとの接続状態を容易に確認することができる。
【０００７】
また、本発明に係るアンテナシートは、前記シートのうち前記アンテナ用孔に一致する位置に、前記シートの厚さ方向に貫通するシート用孔が設けられていることを特徴とする。
【０００８】
この発明に係るアンテナシートによれば、シート用孔及びアンテナ用孔を介して、外方から半田を直接視認することができるため、半田の状態を高精度に確認することができる。
また、シートが透明でない部材からなる場合、シート用孔を設けることにより、外方から半田を確実に視認することができる。
【０００９】
また、本発明に係るＩＣインレットは、請求項１又は請求項２に記載のアンテナシートと、前記ＩＣチップとを備えることを特徴とする。
【００１０】
この発明に係るＩＣインレットによれば、請求項１又は請求項２に記載のアンテナシートと同様の効果を奏することができる。
【００１１】
また、本発明に係る情報記録媒体は、請求項３に記載のＩＣインレットを備えることを特徴とする。
【００１２】
この発明に係る情報記録媒体によれば、請求項３に記載のＩＣインレットと同様の効果を奏することができる。
【発明の効果】
【００１３】
本発明によれば、アンテナ用孔を介して半田の状態を外方から視認することができることから、アンテナとＩＣチップとの接続信頼性を簡易かつ迅速に確認することができる。
【発明を実施するための最良の形態】
【００１４】
（実施形態１）
以下、本発明の第１の実施形態における情報記録媒体について、図面を参照して説明する。
本実施形態においては、情報記録媒体をＩＣカードに適用した場合を例に挙げて説明する。
図１は、ＩＣカードを示す平面図である。
【００１５】
ＩＣカード１は、矩形板状のカード本体部２を備えている。
カード本体部２は、絶縁部材からなる矩形板状の一対のカード基材が厚さ方向に重ね合わされて、互いに接着されて形成されたものである。
カード本体部２の内部には、フィルム状のＩＣインレット３が設けられている。
【００１６】
ＩＣインレット３は、非接触で通信を行うためのアンテナシート４を備えている。
アンテナシート４は、透明なフィルム状のシート６を備えている。
シート６は、絶縁部材からなっており、矩形状に形成されている。シート６の一方の主面６ａには、銅箔が巻回されてなるアンテナ７が設けられている。アンテナ７は、マスク露光技術により、一方の主面６ａにパターニングされている。また、アンテナ７は、後述するＩＣチップ１４に接続するための一対の接続部１６を備えている。
【００１７】
また、シート６の四隅のうち一の隅部には、ＩＣモジュール８が設けられている。
ＩＣモジュール８は、図２に示すように、ガラスエポキシ樹脂からなる基板１１を備えている。基板１１には、金メッキにより所定のパターン（不図示）が設けられている。また、基板１１には、樹脂モールドされたモールド部１２が設けられている。モールド部１２の内部には、無線通信のための各種処理を行うＩＣチップ１４が設けられている。
また、基板１１には、一対の接続電極１５が設けられている。これら一対の接続電極１５は、不図示のワイヤを介してＩＣチップ１４に接続されている。
【００１８】
また、一対の接続電極１５は、アンテナ７の接続部１６が接続されている。すなわち、接続電極１５に半田Ｈ（図３に示す）が設けられ、この半田Ｈを介して接続電極１５に接続部１６が重ね合わされて、リフロー工程による半田Ｈの溶融、凝固によって、それら接続電極１５と接続部１６とが接続されている。これにより、アンテナ７とＩＣチップ１４とは、接続部１６、半田Ｈ、接続電極１５及びワイヤを介して互いに接続されている。
【００１９】
さらに、本実施形態における接続部１６には、アンテナ７の厚さ方向に貫通するアンテナ用孔２０が形成されている。アンテナ用孔２０は、一対の接続部１６のそれぞれに、接続部１６の短手方向Ｓに二つづつ配列されている。これらアンテナ用孔２０は、マスク露光技術によって、エッチングなどによりアンテナ７と一体に成形される。
なお、図２において、符号１９はジャンパ線を示している。
【００２０】
次に、このように構成された本実施形態におけるＩＣカード１の作用について説明する。
まず、２．４５ＧＨｚの電波を放射するリーダライタにＩＣカード１を近接させる。するとアンテナ７は、その電波を受信して、ＩＣチップ１４に電力を供給する。これにより、ＩＣチップ１４が駆動されて、種々の処理が行われる。例えば、ＩＣチップ１４の記憶部に記憶された各種情報が読み出され、その各種情報が搬送波に載せられてアンテナ７を介して放射される。この電波をリーダライタが受信することにより、ＩＣチップ１４の各種情報が読み出される。
【００２１】
ここで、従来は、接続電極１５に接続部１６を重ね合わせると、面状に延びる接続部１６によって半田Ｈが隠されてしまうため、半田Ｈの状態を外方から視認することができなかった。
本実施形態においては、接続部１６にアンテナ用孔２０が形成されていることから、図３及び図４に示すように、それらアンテナ用孔２０を介して、接続電極１５と接続部１６との間に配された半田Ｈが、透明なシート６を介して露出する。そのため、接続電極１５と接続部１６との間に配された半田Ｈを、透明なシート６及びそれらアンテナ用孔２０を介して外方から容易に視認することができる。
【００２２】
以上より、本実施形態におけるＩＣカード１によれば、アンテナ用孔２０を介して半田Ｈの状態を外方から視認することができることから、アンテナ７とＩＣチップ１４との接続状態を容易に確認することができる。すなわち、半田Ｈの広がりや溶け具合を容易に確認することができる。そのため、アンテナ７とＩＣチップ１４との接続信頼性を簡易かつ迅速に確認することができる。
また、アンテナ７とＩＣチップ１４との接続前においても、接続電極１５に接続部１６を重ね合わせたときに、接続電極１５上の半田Ｈの乗り具合を、アンテナ用孔２０を介して容易に確認することができる。
【００２３】
さらに、接続電極１５に設けられた半田Ｈの量が多くても、アンテナ用孔２０内に半田Ｈが入り込むことにより、半田Ｈの量の誤差を吸収することができ、アンテナ７とＩＣチップ１４とを高精度に接続することができる。
【００２４】
なお、半田Ｈの量によっては、リフロー工程において、図５に示すように、接続部１６のパターンにならって半田Ｈが溶融し、半田用孔２１が形成されることがある。この場合であっても、半田用孔２１の底部には、一般的に半田Ｈの表面張力などにより傾斜部２２が形成されることから、アンテナ用孔２０を介して外方から傾斜部２２の状態を視認することができ、これにより、アンテナ７とＩＣチップ１４との接続状態を容易に確認することができる。
【００２５】
（実施形態２）
次に、本発明の第２の実施形態について説明する。
図６は、本発明の第２の実施形態を示したものである。
図６において、図１から図５に記載の構成要素と同一部分については同一符号を付し、その説明を省略する。
この実施形態と上記第１の実施形態とは基本的構成は同一であり、ここでは異なる点についてのみ説明する。
【００２６】
本実施形態においては、アンテナ用孔２０ａの断面形状が台形状に形成されており、アンテナ用孔２０ａの両開口端のうち、開口面積の小さい側の小開口端２５が、接続電極１５側に配され、開口面積の大きい側の大開口端２６が、シート６側に配されている。
このような構成のもと、半田Ｈの量を多めにしておくと、リフロー工程において、半田Ｈがアンテナ用孔２０ａ内に入り込む。この入り込んだ状態で半田Ｈが凝固すると、アンテナ用孔２０ａに入り込んだ半田Ｈが、接続電極１５側に向けて外方に移動しようとすると小開口端２５の縁部に当接することにより、半田Ｈの移動が規制される。
そのため、アンテナ７とＩＣチップ１４との接続強度を増大させることができる。
また、エッチングによりアンテナ用孔２０ａを形成することにより、アンテナ用孔２０ａの断面形状は自然と台形状になる。そのため、エッチングを行うだけで、アンテナ用孔２０ａが形作られる断面形状を意識することなく、台形状のアンテナ用孔２０ａを容易に形成することができる。
【００２７】
（実施形態３）
次に、本発明の第３の実施形態について説明する。
図７は、本発明の第３の実施形態を示したものである。
図７において、図１から図６に記載の構成要素と同一部分については同一符号を付し、その説明を省略する。
この実施形態と上記第１の実施形態とは基本的構成は同一であり、ここでは異なる点についてのみ説明する。
【００２８】
本実施形態においては、シート６のうちアンテナ用孔２０に一致する位置に、シート用孔２７が形成されている。
これにより、シート用孔２７及びアンテナ用孔２０を介して、外方から半田Ｈを直接視認することができるため、半田Ｈの状態を高精度に確認することができる。
また、シート６が透明でない部材からなる場合、シート用孔２７を設けることにより、外方から半田Ｈを確実に視認することができる。
なお、図６に示す上記第２の実施形態において、台形状のアンテナ用孔２０ａに一致させて、本実施形態におけるシート用孔２７を設けてもよい。
【００２９】
（実施形態４）
次に、本発明の第４の実施形態について説明する。
図８は、本発明の第４の実施形態を示したものである。
図８において、図１から図７に記載の構成要素と同一部分については同一符号を付し、その説明を省略する。
この実施形態と上記第１の実施形態とは基本的構成は同一であり、ここでは異なる点についてのみ説明する。
【００３０】
本実施形態においては、アンテナ用孔２０に一致させてシート用孔２７ａが形成されており、このシート用孔２７ａの開口面積が、アンテナ用孔２０の両開口端のうち、シート６側に配される開口端の開口面積よりも大きく設定されている。
このような構成のもと、半田Ｈの量を多めにしておくと、リフロー工程において、半田Ｈがアンテナ用孔２０内に入り込み、さらに、シート用孔２７ａ内に入り込む。このようにシート用孔２７ａに入り込んだ状態で半田Ｈが凝固すると、シート用孔２７ａに入り込んだ半田Ｈが、接続電極１５側に向けて外方に移動しようとすると接続部１６の縁部に当接することにより、半田Ｈの移動が規制される。
そのため、アンテナ７とＩＣチップ１４との接続強度を増大させることができる。
なお、図６に示す上記第２の実施形態において、アンテナ用孔２０ａの大開口端２６の開口面積よりも大きな開口面積を有するシート用孔２７ａを設けてもよい。
【００３１】
なお、上記第１から第４の実施形態においては、本発明に係る情報記録媒体をＩＣカード１に適用した例を示したが、これに限ることはなく、情報記録媒体としては適宜変更可能である。例えば、パスポート、通帳などの冊子類や携帯端末などであってもよい。
また、アンテナ用孔を、一対の接続電極１５にそれぞれ二つづつ設けるとしたが、これに限ることはなく、その数は、適宜変更可能である。例えば、三つ以上設けてもよいし、一つだけであってもよい。アンテナ用孔を一つ設ける場合には、接続電極１５の短手方向Ｓの中央部に設けることが好ましい。これにより、半田Ｈを確実に視認することができる。
なお、本発明の技術範囲は上記の実施形態に限定されるものではなく、本発明の趣旨を逸脱しない範囲において、種々の変更を加えることが可能である。
【図面の簡単な説明】
【００３２】
【図１】本発明に係る情報記録媒体の第１の実施形態を示す平面図である。
【図２】図１の要部を拡大した様子を示す平面図である。
【図３】本実施形態における接続端子と接続部とが接続された状態を示す側断面図である。
【図４】図２の接続部を拡大して示す平面図である。
【図５】図３の接続端子と接続部とが接続された状態において半田の変形例を示す側断面図である。
【図６】本発明に係る情報記録媒体の第２の実施形態を示す側断面図である。
【図７】本発明に係る情報記録媒体の第３の実施形態を示す側断面図である。
【図８】本発明に係る情報記録媒体の第４の実施形態を示す側断面図である。
【符号の説明】
【００３３】
１    ＩＣカード（情報記録媒体）
３    ＩＣインレット
４    アンテナシート
６    シート
７    アンテナ
１４  ＩＣチップ
２０，２０ａ  アンテナ用孔
２７，２７ａ  シート用孔
【図１】
2008059348.tif 000003
【図２】
2008059348.tif 000004
【図３】
2008059348.tif 000005
【図４】
2008059348.tif 000006
【図５】
2008059348.tif 000007
【図６】
2008059348.tif 000008
【図７】
2008059348.tif 000009
【図８】
2008059348.tif 000010